(57)【要約】【課題】ガラスの飛散防止の機能のみでなく、装飾または広告宣伝という新しい機能と価値を付加したガラス飛散防止用フィルムを提供すること。【解決手段】ガラスの表面に貼り付けることによって当該ガラスの飛散を防ぐためのガラス飛散防止用フィルム１であって、透明の樹脂フィルムからなるベース層１１と、ベース層１１の一方の表面に設けられた粘着層１２と、ベース層１１の他方の表面に設けられた透光性を有する画像層１６とを有してなる。【選択図】      図１
2004330767.tif 000002
【特許請求の範囲】
【請求項１】
ガラスの表面に貼り付けることによって当該ガラスの飛散を防ぐためのガラス飛散防止用フィルムであって、
透明の樹脂フィルムからなるベース層と、
前記ベース層の一方の表面に設けられた粘着層と、
前記ベース層の他方の表面に設けられた透光性を有する画像層と、
を有してなることを特徴とするガラス飛散防止用フィルム。
【請求項２】
透明の樹脂フィルムからなるベース層と、
前記ベース層の一方の表面に設けられた粘着層と、
前記粘着層の表面に設けられた剥離層と、
前記ベース層の他方の表面に設けられた受像層と、
前記受像層の表面に設けられた半透明の乳白層と、
前記乳白層の表面に設けられた画像層と、
を有してなることを特徴とするガラス飛散防止用フィルム。
【請求項３】
前記乳白層および前記画像層は、前記ベース層の表面の一部のみに設けられており、
前記ベース層の中の前記画像層の存在する部分は、透過光または反射光のいずれによっても画像として表示され、
前記ベース層の中の前記画像層の存在しない部分は、向こう側が透けて見える、
請求項２記載のガラス飛散防止用フィルム。
【請求項４】
前記画像層は、インクを用いて印刷を行うことによって形成されている、
請求項２または３記載のガラス飛散防止用フィルム。
【請求項５】
透明の樹脂フィルムからなるベース層と、
前記ベース層の一方の表面に設けられた粘着層と、
前記粘着層の表面に設けられた剥離層と、
前記ベース層の他方の表面に設けられた透明な受像層と、
前記受像層の表面に設けられた画像層と、
を有してなることを特徴とするガラス飛散防止用フィルム。
【請求項６】
前記受像層は、シリカおよびバインダーとしての合成樹脂を含有して形成される、
請求項５記載のガラス飛散防止用フィルム。
【請求項７】
ガラスの表面に貼り付けることによって当該ガラスの飛散を防ぐためのガラス飛散防止用フィルムであって、
その表面に視差によって立体画像を観察することのできる圧縮画像が形成されてなる、
ことを特徴とするガラス飛散防止用フィルム。
【請求項８】
前記圧縮画像は、裏面から見たときに正常に見える画像である、
請求項７記載のガラス飛散防止用フィルム。
【発明の詳細な説明】
【０００１】
【発明の属する技術分野】
本発明はガラス飛散防止用フィルムに関する。
【０００２】
【従来の技術】
従来より、玄関や窓のガラスを割れにくくし、また割れた場合でも破片が飛散するのを防ぐために、ガラス飛散防止用フィルムが用いられている。
【０００３】
ガラス飛散防止用フィルムは、透明の樹脂フィルムからなるベース層と、ベース層の表面に設けられた粘着層とを有し、粘着層によりガラスの表面に貼り付けることによってその飛散を防止する。
【０００４】
【非特許文献１】
インターネット〔ＵＲＬ  …  ｈｔｔｐ：／／ｗｗｗ．ｋｅｎｙｕｓｙａ．ｃｏｍ／ｆｉｌｍ／ｔｏｋｕｓｅｉ．ｈｔｍ〕
【０００５】
【発明が解決しようとする課題】
しかし、従来のガラス飛散防止用フィルムの多くは、その存在を意識させないために透明である。また、完全に透明なガラスを曇りガラスに変身させて向こう側を見え難くするために、スモークとなっているものもある。
【０００６】
いずれにしても、従来のガラス飛散防止用フィルムは、ガラスの飛散防止のみが目的であって、ガラス飛散防止用フィルム自体の存在は周囲の人になるべく分からないように構成されている。
【０００７】
本発明は、ガラスの飛散防止の機能のみでなく、装飾または広告宣伝という新しい機能と価値を付加したガラス飛散防止用フィルムを提供することを目的とする。
【０００８】
【課題を解決するための手段】
本発明に係るガラス飛散防止用フィルムは、ガラスの表面に貼り付けることによって当該ガラスの飛散を防ぐためのガラス飛散防止用フィルムであって、透明の樹脂フィルムからなるベース層と、前記ベース層の一方の表面に設けられた粘着層と、前記ベース層の他方の表面に設けられた透光性を有する画像層とを有してなる。
【０００９】
また、透明の樹脂フィルムからなるベース層と、前記ベース層の一方の表面に設けられた粘着層と、前記粘着層の表面に設けられた剥離層と、前記ベース層の他方の表面に設けられた受像層と、前記受像層の表面に設けられた半透明の乳白層と、前記乳白層の表面に設けられた画像層とを有してなる。
【００１０】
好ましくは、前記乳白層および前記画像層は、前記ベース層の表面の一部のみに設けられており、前記ベース層の中の前記画像層の存在する部分は、透過光または反射光のいずれによっても画像として表示され、前記ベース層の中の前記画像層の存在しない部分は、向こう側が透けて見える。
【００１１】
また、前記画像層は、インクを用いて印刷を行うことによって形成される。
本発明に係る他のガラス飛散防止用フィルムは、透明の樹脂フィルムからなるベース層と、前記ベース層の一方の表面に設けられた粘着層と、前記粘着層の表面に設けられた剥離層と、前記ベース層の他方の表面に設けられた透明な受像層と、前記受像層の表面に設けられた画像層とを有してなる。
【００１２】
好ましくは、前記受像層は、シリカおよびバインダーとしての合成樹脂を含有して形成される。
また、ガラス飛散防止用フィルムの表面に、視差によって立体画像を観察することのできる圧縮画像が形成されてなる。
【００１３】
その場合に、前記圧縮画像は、裏面から見たときに正常に見える画像とすると、ガラスなどに貼りつけて裏面から見たときに正常な立体画像として観察することができる。
【００１４】
本発明において、透明とは、向こう側の景色が見える程度以上に透明であることをいう。半透明とは、向こう側の景色は見えないが光は透過可能であるか、または向こう側の景色が見えてもはっきりとは見えない程度に光が透過可能であることをいう。
【００１５】
【発明の実施の形態】
〔第１の実施形態〕
図１は本発明に係るガラス飛散防止用フィルム１の例を示す正面図、図２はガラス飛散防止用フィルム１の断面図である。
【００１６】
図１に示すように、ガラス飛散防止用フィルム１には、画像ＦＧを表示する画像層１６が設けられている。図１において、画像ＦＧは、人の写真画像ＦＧ１と、宣伝広告のためのイラスト画像ＦＧ２とを含む。
【００１７】
図２において、ガラス飛散防止用フィルム１は、透明の樹脂フィルムからなるベース層１１、ベース層１１の一方の表面に設けられた粘着層１２、粘着層１２の表面に設けられた剥離層１３、ベース層１１の他方の表面に設けられた受像層１４、受像層１４の表面に設けられた半透明の乳白層１５、乳白層１５の表面に設けられた画像層１６、および、画像層１６を保護する保護層１７を有する。
【００１８】
ベース層１１は、ポリエステル樹脂をフィルム状に形成したものであり、数十〜数百μｍ程度の厚さである。ベース層１１は、１枚のフィルムからなる単層のものでもよく、また、複数枚のフィルムを接着剤により接着して積層した多層のものでもよい。単層の場合には、例えば、２５〜１００μｍ程度であり、多層の場合には、１００〜４００μｍ程度である。多層の場合に、ポリエステル樹脂以外の材料からなるフィルムを積層してもよい。紫外線をカットするためのフィルムを積層し、またはそのような機能を付与するようにポリエステル樹脂に紫外線吸収剤を添加剤として入れてもよい。また、ポリエステル樹脂以外の樹脂を用いることも可能である。ベース層１１は、可視光線の透過率が高いもの、例えば透過率８０％以上のものが好ましいが、用途によってはそれより低くてもよく、例えばスモークになったものでもよい。
【００１９】
粘着層１２は、ガラスに対する粘着性の良好な材料からなり、例えばアクリル酸エステル共重合体などが用いられる。粘着層１２の形成に当たって、１平方メートル当たり２０〜３０ｇ程度の量がベース層１１に塗布される。剥離層１３は、ガラス飛散防止用フィルム１の使用前において粘着層１２を保護するものであり、使用時に粘着層１２から剥離する。剥離層１３として、例えばポリエステル樹脂の薄いフィルムが用いられる。
【００２０】
これら、ベース層１１、粘着層１２、および剥離層１３で構成される積層体（以下「飛散防止積層体」ということがある）には、「ガラス飛散防止用フィルム」「防犯防災フィルム」または「セキュリティフィルム」などとして市販されているものを用いてもよい。なお、ＪＩＳ−Ａ−５７５９で規定される飛散防止性能試験に適合するものが好ましい。
【００２１】
受像層１４は、ベース層１１の表面に印刷を行うために設けられる。受像層１４を設けることにより、印刷時におけるインクが受像層１４にしみ込み、印刷したインクが流れ難くなる。これによって、画像ＦＧが綺麗に印刷できる。受像層１４は、飛散防止積層体に含めてもよく、または後述の画像表示積層体に含めてもよい。また、ベース層１１の表面が印刷に適したものであれば、受像層１４を省略することも可能である。
【００２２】
乳白層１５は、透光性のある乳白色の層であり、例えば乳白色の乳剤をベース層１１に塗布、印刷、またはコーティングすることによって形成される。そのような乳剤として、例えば、溶剤にチタンホワイトまたはシリカなどの顔料を適当な量だけ溶解させた薄いインクを用いることができる。
【００２３】
乳白層１５の存在によって、ベース層１１の側から入射してくる照明のための光が透過可能であり、透過した照明光によって画像層１６の画像が明るく鮮明に表示される。また、画像層１６の側から入射してくる照明のための光が乳白層１５の表面によって反射可能であり、反射した照明光によって画像層１６の画像が明るく鮮明に表示される。つまり、乳白層１５の存在によって、反射光および透過光のいずれによっても画像層１６の画像が鮮明に表示される。このような乳白層１５それ自体の機能は公知である。
【００２４】
画像層１６は、インクジェットプリンタにより、不透明なインクを用いて印刷することにより形成される。なお、例えば、Ｃ，Ｍ，Ｙ，Ｋの各カラー成分のドットによる網点画像として印刷される。画像層１６に形成する画像ＦＧとして、写真画像、ＣＧによる画像、イラスト画像、線画像、文字による画像など、種々の画像を適用することができる。不透明なインクとは、完全不透明なインクではなく、光の一部が透過可能なインクをいう。
【００２５】
保護層１７は、画像層１６を保護するための透明の薄い膜である。保護層１７は、適当な樹脂コーティングによって形成し、またはテフロン（登録商標）加工などによって形成してもよい。保護層１７が存在することによって耐久性が向上する。しかし、使用目的または使用環境などによっては保護層１７を省略することも可能である。
【００２６】
さて、乳白層１５、画像層１６、および保護層１７からなる積層体（以下「画像表示積層体」ということがある）は、ベース層１１（または受像層１４）の表面の全面ではなく、その表面の一部のみに設けられている。また、乳白層１５は、画像層１６と同じ表面形状であり、保護層１７も画像層１６と同じ表面形状である。つまり、乳白層１５および保護層１７は、画像層１６を形成するための画像データと同じ画像データを用いて形成することにより、画像層１６と同じ表面形状に形成される。
【００２７】
したがって、例えば、画像表示積層体の形成に当たり、プリンタにより飛散防止積層体の表面に、画像データを用いて乳白層１５を塗布しまたは印刷した後、飛散防止積層体の位置を元の位置（初期位置）に戻し、再度飛散防止積層体の送りを行って画像層１６を印刷してもよい。同様にして保護層１７を塗布してもよい。また、乳白層１５の塗布を行いながら、乳白層１５の塗布の直後に印刷を行って画像層１６を形成してもよい。その場合に、さらにその直後に保護層１７を塗布によって形成してもよい。後者による場合は、飛散防止積層体の１回の送りで画像表示積層体の全体を形成することができ、飛散防止積層体を印刷の初期位置に戻す必要がないので、画像表示積層体の形成を短時間で容易に行うことができる。その場合に、画像層１６のためのインクタンクとは別に、乳白色のインクなどを収容しておくインクタンクを別途設けておけばよい。
【００２８】
上に述べたように作成されたガラス飛散防止用フィルム１では、飛散防止積層体の表面のうちの画像表示積層体の存在する部分は、透過光または反射光のいずれによっても画像として表示され、飛散防止積層体の表面のうちの画像表示積層体の存在しない部分は、向こう側が透けて見えまたは可視光がほとんどそのまま透過する。
【００２９】
すなわち、ガラス飛散防止用フィルム１の前面から（矢印Ｍ１の方向から）の照明を行えば、その光は保護層１７を透過し、画像層１６を透過して乳白層１５によって一部が反射し、反射した光は再度画像層１６を透過して前面側にいる観察者によって観察される。このように、画像層１６に形成された画像ＦＧを光が２回透過して観察者の眼に入るので、通常の反射光による観察と同じ状態となり、鮮明な画像が得られる。
【００３０】
また、背面から（矢印Ｍ２の方向から）の照明を行えば、その光線が半透明の乳白層１５、画像層１６、および保護層１７を透過して前面側にいる観察者の眼に入る。これによって、画像層１６の画像ＦＧが明るく見える。
【００３１】
したがって、ガラス飛散防止用フィルム１を窓や玄関などのガラスに貼ることにより、ガラスの飛散防止が図られるとともに、画像表示積層体による画像表示が行われ、その内容に応じて装飾および宣伝広告が行われる。
【００３２】
なお、乳白層１５と受像層１４との間に、画像層１６と同じ画像による画像層を形成しておいてもよい。そのようにした場合には、背面からの照明によって２つの画像層を透過するので、反射光による場合と同様のコントラストで画像を表示することができる。
【００３３】
上の実施形態において、画像層１６を印刷により形成したが、印刷ではなく、写真焼付けによって形成してもよい。その場合には、画像層１６として写真乳剤層を設けておき、その写真乳剤層に露光を行って画像を焼付け、現像および定着を行えばよい。受像層１４は、ベース層１１の表面の全面に設けるのでなく、画像層１６と同じ表面形状としてもよい。
〔第２の実施形態〕
次に、第２の実施形態のガラス飛散防止用フィルム１Ｂについて説明する。
【００３４】
図５は本発明に係る第２の実施形態のガラス飛散防止用フィルム１Ｂの断面図である。
図５において、ガラス飛散防止用フィルム１Ｂは、透明の樹脂フィルムからなるベース層１１、ベース層１１の一方の表面に設けられた粘着層１２、粘着層１２の表面に設けられた剥離層１３、ベース層１１の他方の表面に設けられた透明な受像層１４Ｂ、受像層１４Ｂの表面に設けられた画像層１６、および、画像層１６を保護する保護層１７を有する。
【００３５】
ベース層１１、粘着層１２、剥離層１３、画像層１６、および保護層１７の構成および機能については、上に述べた第１の実施形態の場合と同様である。
受像層１４Ｂは、透明であり、他の点では上に述べた受像層１４と同じ機能を有する。つまり、受像層１４Ｂの上に画像層１６を印刷したときに、画像層１６のインクが受像層１４Ｂにしみ込み、印刷したインクが流れ難くなる。これにより、インクの滲みが防止され、画像ＦＧが綺麗に印刷できる。
【００３６】
受像層１４Ｂは、例えば、無機充填剤であるシリカ、および合成樹脂によって透明に形成される。シリカおよび合成樹脂は、溶媒とともに、ベース層１１の表面に塗布し、印刷し、またはコーティングすることによって形成される。ここで、シリカは、画像層１６を印刷したときのインクを吸収するためのものであり、合成樹脂は、シリカをベース層１１に強固に固定するためのバインダーの働きをする。受像層１４Ｂの塗布重量は、１平方メートル当たり９〜１４ｇ程度である。
【００３７】
シリカは、多孔質であり、湿式ゲル法により製造される合成非晶質シリカが適する。湿式ゲル法によれば、一次平均粒径が３０ｎｍ以下のコロイダルシリカを得ることができる。一般に、ゲル法により得られるシリカは沈降法により得られるシリカに比べ一次粒径が小さく、比表面積が大きい。したがって、湿式ゲル法シリカにより形成された受像層１４Ｂは透明性に優れ、その表面にインクによって画像層１６を形成する際にインクの浸透が速く吸収能力に優れるため、インクがすぐ乾き、鮮明な画像を得ることができる。
【００３８】
バインダーのための合成樹脂として、例えばポリエステル樹脂（固体ポリマー樹脂）が用いられる。ポリエステル樹脂を用いると、ベース層１１にポリエチレンテレフタレート（ＰＥＴ）のようなポリエステル樹脂を用いた場合に受像層１４Ｂを強固に形成することができる。また、ベース層１１に用いられる樹脂の種類に応じて、ポリオレフィン樹脂、アクリル樹脂、エポキシ樹脂、その他種々の樹脂を使用することができる。
【００３９】
なお、ポリエステル樹脂を溶解する溶媒として、ジメチルケトン、エチルメチルケトン、ジエチルケトン、メチルプロピルケトン、ブチルメチルケトン、エチルプロピルケトン等の脂肪族ケトン、メチルアルコール、エチルアルコール、イソプロピルアルコール等の低級アルコール、蟻酸ブチル、酢酸エチル、酢酸プロピル等の低級カルボン酸と低級アルコールとのエステル、ベンゼン、トルエン、キシレン等の芳香族炭化水素、およびこれらを適宜組み合わせた混合溶媒が挙げられる。受像層１４Ｂを短時間で形成したい場合には、蒸発潜熱が小さく揮発しやすいエチルメチルケトン（ＭＥＫ）のような溶媒を使用するとよい。
【００４０】
受像層１４Ｂとして、インクの吸収性の良好な材料であれば、シリカ以外の無機充填剤を使用することができる。また、上に述べたシリカおよび合成樹脂以外の他の成分または材料を含んでもよい。
【００４１】
受像層１４Ｂは、ベース層１１の表面全体に形成してもよく、またベース層１１の表面の画像層１６が形成される部分にのみ形成してもよい。画像層１６が印刷される部分にのみ受像層１４Ｂを形成する場合には、グラビア印刷等の一般的な印刷方法を用いて受像層１４Ｂを印刷することができる。
【００４２】
このような受像層１４Ｂの上に、画像層１６を例えばインクジェットプリンタによって形成する。その場合に用いるインクとして、上に述べたように、不透明な顔料インクを用いて印刷することにより形成される。顔料インクを用いることにより、紫外線による色の劣化が少なく、鮮やかな色彩の画像を長期間維持することができる。また、インクとして染料インクを用いてもよい。染料インクを用いた場合は、顔料インクよりも光の透過性がよい。
【００４３】
このようなガラス飛散防止用フィルム１Ｂは、ビルや家の窓または玄関などのガラスに貼って使用される。ガラスに貼ることにより、ガラスの飛散防止が図られるとともに、画像層１６による画像表示が行われ、その内容に応じてインテリアの一部となり、装飾としての機能または宣伝広告の機能が発揮される。画像層１６の画像ＦＧは、室内および室外のいずれからも見ることが可能である。
【００４４】
例えば、高層階にあるレストランの窓のガラスにガラス飛散防止用フィルム１Ｂを貼ることにより、室内からガラス越しに見える外の景色に加えて、画像層１６による画像ＦＧを見ることができる。画像ＦＧとして、高層ビル群の画像、外の景色の遠景となるような山々の画像、雲や空の画像、窓の直ぐ外にあるような大樹の画像、人が舞っているようなイラスト画像、抽象的なカラー画像またはイラスト画像など、種々の画像を使用することができる。画像の異なるガラス飛散防止用フィルム１Ｂを貼り替えることにより、室内の雰囲気を変えることができる。
【００４５】
その他、百貨店内のガラス仕切り、コンビニの外壁ガラス、病院や駅の構内、ホテルの大ガラス仕切りなどにも使用することができ、殺風景な場所であった場合でもガラス飛散防止用フィルム１Ｂを貼ることによって美しい画像で装飾することができる。
〔第３の実施形態〕
次に、第３の実施形態のガラス飛散防止用フィルム２について説明する。
【００４６】
図３は第３の実施形態のガラス飛散防止用フィルム２を用いた表示システムＨＳの断面図、図４はフィルム２１の正面図である。
図３において、窓や玄関などのガラスＧＬの一方の表面にはガラス飛散防止用フィルム２が貼られている。ガラス飛散防止用フィルム２には、４つ１組の圧縮画像ａ，ｂ，ｃ，ｄが連続的に形成されている。圧縮画像ａ，ｂ，ｃ，ｄは、レンチキュラーレンズを用いて両眼で観察したときに立体的に見ることのできる従来より公知の画像である。圧縮画像は半透明に形成され、透過光による照明によって観察することができる。
【００４７】
ガラス飛散防止用フィルム２は、上に述べたガラス飛散防止用フィルム１のように、ベース層、粘着層、受像層、乳白層、画像層などによって構成することができる。例えば、ガラス飛散防止用フィルム２は、ガラスＧＬに貼りつける必要があるので、図３においてはベース層の上面に粘着層が設けられ、ベース層の下面に画像層が設けられる。その場合に、観察者は画像を裏側から（図３の上面から）見ることになるので、ベース層に画像を形成する際に、裏から見て正常に見える画像（逆像）を形成しておけばよい。もし逆像でない場合には、立体的な凹凸が逆に見えてしまうことになる。このように、表示システムＨＳにおいては、ガラス飛散防止用フィルム２の表面（図３の下面）に逆像である圧縮画像が形成されている。
【００４８】
ガラスＧＬの他方の表面には、圧縮画像の長手方向に沿ったスリット２２が設けられたフィルム２１が貼られている。つまり、図４に示すように、フィルム２１は、スリット２２の部分が透明であり、それ以外の部分は不透明であり、多数の平行なスリット２２が縦のストライプ状に設けられたものである。このようなフィルム２１は、例えば透明なフィルムの表面に、スリット２２以外の部分つまり黒い部分を印刷することによって作成することができる。スリット２２同士の間隔（つまりピッチ）は、圧縮画像ａ，ｂ，ｃ，ｄの組ごとの間隔（つまりピッチ）と一致している。また、スリット２２の幅寸法は、１つの圧縮画像ａ，ｂ，ｃ，ｄの幅寸法よりも狭く設定されており、観察者が１つのスリット２２を通して１つ分の圧縮画像のみが見えるようになっている。なお、フィルム２１には、その下面に粘着層が設けられている。
【００４９】
したがって、フィルム２１の側から観察者が見ると、スリット２２を通して圧縮画像ａ，ｂ，ｃ，ｄのいずれかが見える。観察者の両眼の視差により、両眼にはそれぞれ異なった圧縮画像が見える。図の例では、一方の眼には圧縮画像ｂが見え、他方の眼には圧縮画像ｃが見える。つまり、ガラスＧＬの厚みを利用することにより、左右の眼で互いに異なる圧縮画像を見ることとなり、これによって画像を立体的に見せることができる。
【００５０】
したがって、観察者は、窓や玄関に貼られたガラス飛散防止用フィルム２の画像を立体的に見ることができる。これにより、画像による装飾および宣伝広告を行うことができる。しかも、ガラス飛散防止用フィルム２によってガラスの飛散防止が図られる。
【００５１】
上のガラス飛散防止用フィルム２において、圧縮画像の１組の画像の個数、画像の内容などは、種々のものを適用することができる。フィルム２１としてガラス飛散防止用フィルムを用いてもよい。
【００５２】
上の実施形態において、ガラス飛散防止用フィルム１，１Ｂ，２の全体または各部の構成、寸法、材質などは、本発明の趣旨に沿って適宜変更することができる。
【００５３】
また、飛散防止用フィルム１，１Ｂ，２は、ガラスの飛散防止のみではなく、ガラスの耐衝撃性を高めることによる破損防止、紫外線のカット、太陽熱のカット、または電磁波のシールドなどの目的のために用いることも可能である。それら種々の目的のために、各層の厚さ、層の構成、材料、透明度、色、添加剤などを適切に選択すればよい。
【００５４】
【発明の効果】
本発明のガラス飛散防止用フィルムによると、ガラスの飛散防止の機能のみでなく、装飾または広告宣伝という新しい機能と価値を付加したガラス飛散防止用フィルムを提供することができる。
【図面の簡単な説明】
【図１】本発明に係るガラス飛散防止用フィルムの例を示す正面図である。
【図２】ガラス飛散防止用フィルムの断面図である。
【図３】本発明に係る第３の実施形態のガラス飛散防止用フィルムを用いた表示システムの断面図である。
【図４】フィルムの正面図である。
【図５】本発明に係る第２の実施形態のガラス飛散防止用フィルムの断面図である。
【符号の説明】
１，１Ｂ，２  ガラス飛散防止用フィルム
１１  ベース層
１２  粘着層
１３  剥離層
１４，１４Ｂ  受像層
１５  乳白層
１６  画像層
ＦＧ  画像
ａ，ｂ，ｃ，ｄ  圧縮画像
【図１】
2004330767.tif 000003
【図２】
2004330767.tif 000004
【図３】
2004330767.tif 000005
【図４】
2004330767.tif 000006
【図５】
2004330767.tif 000007